(57)【特許請求の範囲】
【請求項１】
前方に第１の開口部を有し水平方向または傾斜方向に回転軸を有する有底円筒状の回転ドラムと、前記第１の開口部に対応する第２の開口部を有し前記回転ドラムを回転自在に内包する有底円筒状の水受け槽と、前記水受け槽を揺動可能に支持し前記第１の開口部および第２の開口部に対応する第３の開口部を有する洗濯機本体と、前記洗濯機本体に設けられ前記回転ドラム内への洗濯物の出し入れのために第３の開口部を開閉する扉体と、前記回転ドラムを回転駆動するモータと、前記水受け槽内の洗濯水を加熱する加熱手段と、前記水受け槽内の洗濯水の温度を検知する温度検知手段と、前記水受け槽内への洗濯水の給水を制御する給水手段と、前記水受け槽内の洗濯水の水位を検知する水位検知手段と、前記水受け槽の底部に連通した排水経路の途中に設けられ前記水受け槽内の洗濯水の排水を制御する排水手段と、前記温度検知手段および水位検知手段等からのデータを入力し前記モータ、加熱手段、給水手段および排水手段等を制御して一連の洗濯、すすぎ、脱水動作を制御する制御手段と、表示手段とを備え、前記制御手段は、前記加熱手段を制御して洗濯水を第１の所定温度以上に加熱して洗濯を行う高温洗濯行程と、前記高温洗濯行程終了後の排水行程において、前記加熱された洗濯水が第２の所定温度になるまで、前記給水手段および排水手段を制御して給水および排水を繰り返す冷却動作を行う冷却行程を有し、前記冷却行程にて所定時間給水が行われない場合には、給水異常の表示をせずに、排水を行うようにしたドラム式洗濯機。
【請求項２】
制御手段は、前記温度検知手段で洗濯水が第２の所定温度になるのを検知した後、排水を行うようにした請求項１記載のドラム式洗濯機。
【請求項３】
制御手段は、洗濯水を排水後、次のすすぎ工程の給水時に所定時間給水が行われない場合に給水異常の表示をするようにした請求項１または２に記載のドラム式洗濯機。
【発明の詳細な説明】
【技術分野】
【０００１】
本発明は、水平方向または略傾斜方向に回転中心軸を有する回転ドラム内で、洗い、すすぎ、脱水を行うドラム式洗濯機に関するものである。
【背景技術】
【０００２】
従来、この種のドラム式洗濯機は図７に示すように構成していた。以下、その構成について説明する。
【０００３】
図７に示すように、回転ドラム１は、外周部に多数の通水孔２を全面に設け、外槽３内に回転自在に配設している。回転ドラム１の回転中心に回転軸４の一端を略水平方向に固定し、回転軸４の他端に従動プーリー５を固定している。第１のモータ６は、回転ドラム１を第１の回転数Ｎ１（例えば、５３ｒ／ｍｉｎ）で回転させて、洗濯またはすすぎをするものであり、第２のモータ７は、回転ドラム１を第２の回転数Ｎ２（例えば、１０００ｒ／ｍｉｎ）で回転させて脱水する。
【０００４】
これら第１のモータ６および第２のモータ７は、それぞれベルト８、９を介して従動プーリー５に連結している。従動プーリー５は、２種の減速比を有しており、第１のモータ６をベルト８を介して減速比が大きい従動プーリー５ａと連結し、回転ドラムの低速回転を、第２のモータ７をベルト９を介して減速比が小さい従動プーリー５ｂと連結し回転ドラム高速回転を実現している。
【０００５】
外槽３は、断面が回転軸４を中心とした略真円形状の外槽本体３ａと外槽本体３ａの開口部を覆う略円状の外槽前板３ｂとで構成して回転ドラム１を内設すると共に、回転ドラム１と外槽３は、回転軸４と直行する方向の形状を回転軸４を中心として略同心円となるように構成し、底部側にヒータ１４を収容する略凹状の加熱体収容室１５を設けている。
【０００６】
この外槽３は、外箱１０よりばね体１１で揺動可能に吊り下げ、防振ダンパー１２により脱水起動時の振動が低減され、かつ定常脱水時の振動が外箱１０に伝達されないように防振支持するとともに、脱水時の振動を低減する重り１３を設けている。さらに外槽３底部には排水用のホース１６の一端を接続し、ホース１６の他端を排水ポンプ１７に接続して外槽３内の洗濯水を排水するようにしている。上記ヒータ１４の下方近傍には、温度検知装置１８と温度過昇防止装置１９を、外槽本体３ａの底部に固定している。
【０００７】
略筒状のパッキング部材２０は、ゴム等の可撓性材料で構成され回転ドラム１の前面開口部に対応する外槽３の開口部とボデー前面開口部との間を連結するもので、外槽側端部を外槽前板３ｂに固着している。ボデー前面開口部に蓋２１を開閉自在に設けている。給水弁２２は外槽３内に水を給水するものである。制御装置２３は、第１のモータ６、第２のモータ７、ヒータ１４、排水ポンプ１７、給水弁２２などの動作を制御し、洗濯、すすぎ、脱水などの一連の行程を逐次制御する（例えば、特許文献１参照）。
【０００８】
なお、制御装置２３は行程の制御手段、入力設定、表示手段などで構成されている。
【０００９】
上記構成において動作を説明すると、蓋２１を開いて回転ドラム１内に洗濯物を投入し、電源スイッチ（図示せず）をオンした後、制御装置２３に設けたスタートスイッチ（図示せず）を操作して運転を開始すると、給水弁２２が動作して給水し、水位検知手段（図示せず）により所定の水位を検知すると給水を停止し、第１のモータ６を駆動する。洗濯行程では、洗濯物に水が含まれるため補給水しながら、回転ドラム１は第１のモータ６に
よって第１の回転数Ｎ１で回転駆動され、回転ドラム１内の洗濯物は持ち上げられて水面上に落下される。
【００１０】
この種のドラム式洗濯機においては、衣類の洗浄効果を高める為、あるいは衣類に付着した細菌類を死滅させる為、洗濯水を高温にする機能が付加されているのが一般的である。そのためには、ヒータ１４に通電して、温度検知装置１８により温度を検知し、外槽３内の洗濯水をほぼ一定の温度に制御しながら、加熱する。しかし高温化する一方では安全対策も求められる。仮に、制御装置２３に故障が発生し、外槽３内の水が無いにもかかわらず、ヒータ１４に通電した場合、外槽３内の温度は異常に上昇するが、この時、温度過昇防止装置１９によりヒータ１４への通電は分断され、過熱による機器の損傷や火災まで至ることはない。
【００１１】
洗濯行程が終了すると、排水ポンプ１７が動作して外槽３内の洗濯水を排水する。すすぎ行程においても洗濯行程と同様の動作を行う。
【００１２】
脱水行程では、回転ドラム１は第２のモータ７によって第２の回転数Ｎ２で回転駆動され、洗濯物は遠心脱水される。このとき、回転ドラム１内の洗濯物の片寄り、すなわちアンバランスが生じると、回転ドラム１、外槽３などの揺動体は振動するが、脱水起動時は防振ダンパー１２により揺動体の振動を減衰し、定常脱水時は防振ダンパー１２の防振機構により外箱１０に伝達されることはない。
【特許文献１】特開平１０−２６３２８５号公報
【発明の開示】
【発明が解決しようとする課題】
【００１３】
しかしながらこのような従来の構成では、洗濯水を高温（例えば８０℃以上）に加熱した場合、回転ドラムの温度も同様に高温になり、洗濯行程中あるいは工程終了後に扉体が開く事ができる設定になっていると、使用者が内部の回転ドラムに接触して火傷をする危険性があった。あるいは火傷する危険性を防止するため、洗濯、すすぎ、脱水行程終了まで扉体は開かないように制御すると、一度運転開始したら途中で開けられないという不満が生じていた。更に洗濯行程後、多量の高温水をそのまま排水した場合、本体側の排水経路の耐熱性を高める必要があること、また、排水を使用者が触らない条件で行うことなどの課題もあり、これらを解決するためには、高温洗濯行程終了後の排水行程において、加熱された洗濯水が所定温度に下がるまで、給水および排水を繰り返す冷却動作を実行することが必要であった。しかし、冷却動作中に、何らかの不具合例えば水道水からの給水が停止した場合等には、所定時間給水が行われず給水異常を検知した場合は、高温水が回転ドラム内に溜まった状態で「給水異常」を知らせる異常表示をした状態で運転が停止したままとなる。この場合使用者は回転ドラム内の高温水を強制的に排水するか、回転ドラム内の高温水が所定温度に下がるまで長時間放置してからでないと、回転ドラム内の洗濯物が取り出せないという、安全性と利便性に対して課題があった。
【００１４】
本発明は上記従来の課題を解決するもので、高温洗濯行程終了後の排水工程において、加熱された洗濯水が所定温度に下がるまで給水および排水を繰り返し行う冷却動作を実行する際に、所定時間以内に給水が行われない場合には、給水異常の表示をすることなく回転ドラム内の洗濯水を排水するようにしたもので、高温水が回転ドラム内に溜まった状態で放置しないことで、回転ドラム内の温度も下がりやすくなり、使用者が高温の洗濯水、洗濯物および回転ドラムに接触する機会を減少して、使用者の安全性と利便性を向上したドラム式洗濯機を提供することを目的としている。
【課題を解決するための手段】
【００１５】
前記従来の課題を解決しつつ、上記目的を達成するために本発明に係るドラム式洗濯機
は、前方に第１の開口部を有し水平方向または傾斜方向に回転軸を有する有底円筒状の回転ドラムと、前記第１の開口部に対応する第２の開口部を有し前記回転ドラムを回転自在に内包する有底円筒状の水受け槽と、前記水受け槽を揺動可能に支持し、かつ前記第１の開口部および第２の開口部に対応する第３の開口部を有する洗濯機本体と、前記洗濯機本体に設けられ前記回転ドラム内への洗濯物の出し入れのために第３の開口部を開閉する扉体と、前記回転ドラムを回転駆動するモータと、前記水受け槽内の洗濯水を加熱する加熱手段と、前記水受け槽内の洗濯水の温度を検知する温度検知手段と、前記水受け槽内への洗濯水の給水を制御する給水手段と、前記水受け槽内の洗濯水の水位を検知する水位検知手段と、前記水受け槽の底部に連通した排水経路の途中に設けられ前記水受け槽内の洗濯水の排水を制御する排水手段と、前記温度検知手段および水位検知手段等からのデータを入力し前記モータ、加熱手段、給水手段および排水手段等を制御して一連の洗濯、すすぎ、脱水動作を制御する制御手段と、表示手段とを備え、前記制御手段は、前記加熱手段を制御して洗濯水を第１の所定温度以上に加熱して洗濯を行う高温洗濯行程と、前記高温洗濯行程終了後の排水行程において、前記加熱された洗濯水が第２の所定温度に低下するまで、前記給水手段および排水手段を制御して給水および排水を繰り返す冷却動作を行う冷却行程を有し、前記冷却行程にて所定時間給水が行われない場合には、給水異常の表示をすることなく水受け槽の温水を排水するようにしたものである。
【００１６】
これによって、高温水が回転ドラム内に溜まった状態で放置しないことで、回転ドラム内の温度も下がりやすくなり、使用者が高温の洗濯水、洗濯物および蓋に接触する機会を減少して、使用者の安全性と利便性を向上することができる。
【発明の効果】
【００１７】
本発明のドラム式洗濯機は、高温水が回転ドラム内に溜まった状態で放置しないことで、回転ドラム内の温度を下がりやすくし、安全性と利便性を向上することができる。
【発明を実施するための最良の形態】
【００１８】
第１の発明は、前方に第１の開口部を有し水平方向または傾斜方向に回転軸を有する有底円筒状の回転ドラムと、前記第１の開口部に対応する第２の開口部を有し前記回転ドラムを回転自在に内包する有底円筒状の水受け槽と、前記水受け槽を揺動可能に支持し前記第１の開口部および第２の開口部に対応する第３の開口部を有する洗濯機本体と、前記洗濯機本体に設けられ前記回転ドラム内への洗濯物の出し入れのために第３の開口部を開閉する扉体と、前記回転ドラムを回転駆動するモータと、前記水受け槽内の洗濯水を加熱する加熱手段と、前記水受け槽内の洗濯水の温度を検知する温度検知手段と、前記水受け槽内への洗濯水の給水を制御する給水手段と、前記水受け槽内の洗濯水の水位を検知する水位検知手段と、前記水受け槽の底部に連通した排水経路の途中に設けられ前記水受け槽内の洗濯水の排水を制御する排水手段と、前記温度検知手段および水位検知手段等からのデータを入力し前記モータ、加熱手段、給水手段および排水手段等を制御して一連の洗濯、すすぎ、脱水動作を制御する制御手段と、表示手段とを備え、前記制御手段は、前記加熱手段を制御して洗濯水を第１の所定温度以上に加熱して洗濯を行う高温洗濯行程と、前記高温洗濯行程終了後の排水行程において、前記加熱された洗濯水が第２の所定温度即ち安全が確保される温度に低下するまで、前記給水手段および排水手段を制御して低温水の給水および高温水の排水を繰り返す冷却動作を行う冷却行程を有する。前記冷却行程にて何らかの不具合で所定時間内に給水が行われない場合には、給水異常の表示をすることなく、水受け槽内の温水を排水するようにしたものであり、高温水が回転ドラム内に溜まった状態で放置しない事で、回転ドラム内の温度も下がりやすくなり、使用者が高温の洗濯水、洗濯物および回転ドラムに接触する機会を減少して、使用者の安全性と利便性を向上することができる。
【００１９】
第２の発明は、第１の発明において、前記温度検知手段で洗濯水が第２の所定温度に下
がるのを検知した後、排水を行うようにしたものであり、排水温度を所定温度まで管理して下げることで排水経路の安全性を向上し、なおかつ排水後の回転ドラム内の洗濯物と回転ドラムの温度を、使用者が接触しても安全な温度まで下げることができ、より使用者の安全性を向上することができる。
【００２０】
第３の発明は、第１または第２の発明において、洗濯水を排水後、次のすすぎ工程の給水時に所定時間給水が行われない場合に給水異常の表示を出すようにしたものであり、使用者が回転ドラム内の温度が低い状態で給水異常の対応ができるとともに、高温の洗濯水、洗濯物および回転ドラムに接触する機会を減少することができ、さらに使用者の安全性を向上することができる。
【００２１】
以下、本発明の実施の形態について、図面を参照しながら説明する。なおこの実施の形態によって本発明が限定されるものではない。
【００２２】
（実施の形態１）
図１は、本発明の第１の実施の形態におけるドラム式洗濯機の縦断面図、図２は、同ドラム式洗濯機の一部ブロック化した制御回路図、図３は、同ドラム式洗濯機の入力設定、および表示手段の拡大正面図である。
【００２３】
図１に示すように、回転ドラム２４は、有底円筒形に形成し外周部に多数の通水孔２５を全面に設け、水受け槽２６内に回転自在に配設している。回転ドラム２４の回転中心に略傾斜方向に回転軸（回転中心軸）２７を設け、回転ドラム２４の軸心方向を正面側から背面側に向けて下向きに傾斜させて配設している。この回転軸２７に、水受け槽２６の背面に取り付けたモータ２８を連結し、回転ドラム２４を正転、逆転方向に回転駆動する。回転ドラム２４の内壁面に数個の突起板２９を設けて衣類の撹拌をしやすくしている。水受け槽２６の正面側の上向き傾斜面に設けた開口部を蓋体３０により開閉自在に覆い、この蓋体３０を開くことにより衣類出入口３１を通して回転ドラム２４内に洗濯物を出し入れできるようにしている。蓋体３０を上向き傾斜面に設けているため、洗濯物を出し入れする際、腰を屈めることなく行うことができる。なお、前記蓋体３０は、運転動作中の使用者の安性を保持するためフタロック４０を動作せしめて開かないようにすることが可能な構成を有する。
【００２４】
水受け槽２６は洗濯機本体３２よりばね３３とダンパー３４により揺動可能に吊り下げ防振支持すると共に、水受け槽２６の下部の排水口３５に一端を接続した排水経路３５ａは他端を排水弁（排水手段）３６に接続して水受け槽２６内の洗濯水を排水するようにしている。給水弁（給水手段）３７は洗剤投入ケース３７ａおよび給水経路３８ａを通して水受け槽２６内に水を給水するものである。なお、給水弁３７には、第２の給水経路３８ｃを経由して回転ドラム２４の上方より内部へ給水が可能な第２の給水手段３８ｂにも連通している。
【００２５】
水位検知手段３９は水受け槽２６内の水位を検知するものである。また、水受け槽２６の下方内底部に洗濯水を加熱するシーズヒータ等からなるヒータ（加熱手段）４１と洗濯水の温度を検知する温度検知手段４２を備え、回転ドラム２４内の洗濯物の洗浄効果を高める温水洗浄する機能を有している。
【００２６】
水受け槽２６の側壁には溢水口４９を設け、水量がこの溢水口４９の水位以上になると、溢水（オーバーフロー）するように構成している。溢水口４９には、オーバーフロー経路（溢水経路）４９ａの一端が接続され、そのオーバーフロー経路（溢水経路）４９ａの他端は、排水弁３６の下流側の排水経路３５ｂに接続されている。
【００２７】
なお、本実施の形態では、回転ドラム２４の回転中心に略傾斜方向に回転軸２７を設け、回転ドラム２４の軸心方向を正面側から背面側に向けて下向きに傾斜させて配設しているが、回転ドラム２４の回転中心に略水平方向に回転軸２７を設け、回転ドラム２４の軸心方向を略水平方向に配設してもよい。
【００２８】
制御装置４３は、図２に示すような回路を構成しており、モータ２８、排水弁３６、給水弁３７、ヒータ４１などの動作を制御し、洗濯、すすぎ、脱水の一連の行程を逐次制御するマイクロコンピュータからなる制御手段４４を有している。制御手段４４は、運転コース等を設定するための入力設定手段４５からの情報を入力して、その情報を基に表示手段４６で表示して使用者に知らせるとともに、入力設定手段４５により運転開始が設定されると、水受け槽２６内の水位を検知する水位検知手段３９等からのデータを入力して負荷駆動手段４７を介して、排水弁３６、給水弁３７、ヒータ４１などの動作を制御し、洗濯運転を行う。
【００２９】
入力設定手段４５は、図３に示すように、洗い時間を設定する洗い時間設定スイッチ４５ａ、すすぎ回数を設定するすすぎ回数設定スイッチ４５ｂ、脱水時間を設定する脱水時間設定スイッチ４５ｃ、スタート・一時停止スイッチ４５ｅ、電源入りスイッチ４５ｆ、電源切りスイッチ４５ｇ、水位変更入力設定スイッチ４５ｈ、水温変更入力スイッチ４５ｉを有している。
【００３０】
表示手段４６は、同じく図３に示すように、洗い時間表示部４６ａ、すすぎ回数表示部４６ｂ、脱水時間表示部４６ｃ、第２のコース設定スイッチ４５ｄで設定されるコースを表示するコース設定表示部４６ｄ、水位表示部（水位表示手段）４６ｅ、水温表示部４６ｆ、数字表示部４６ｇ、蓋ロック表示部４６ｈ、等を有している。なお数字表示部４６ｇは通常の運転中は、残り時間等を表示しているが、運転中、動作に異常を生じた場合は、ある記号と数字をもちいて異常状態を表示する異常表示部としても機能するようになっている。上記異常の表示とは例えば、排水ができない異常表示、給水ができない異常表示、扉体が正しく閉じられていない事を知らせる異常表示、などである。
【００３１】
図４は、実施の形態１におけるドラム式洗濯機の要部動作フローチャートであり、以下、図４に従って動作を説明する。使用者が扉体３０を開いて回転ドラム２４内に洗濯物を投入し、再び扉体３０を閉じるとステップ１００で動作を開始し、ステップ１０１で電源スイッチ４５ｆをオンした後、ステップ１０２でコース設定スイッチ４５ｄを操作してコースを設定する。更にステップ１０３で水位、水温、洗い時間、すすぎ回数、脱水時間の設定に変更が有るか否かを判断し、変更が有る場合は、洗い時間設定スイッチ４５ａ、すすぎ回数設定スイッチ４５ｂ、脱水時間設定スイッチ４５ｃ、水位変更入力設定スイッチ４５ｈ、水温変更入力スイッチ４５ｉを操作して、各設定の変更を行い、ステップ１０４で表示手段４６に変更内容の表示をする。変更がない場合はステップ１０５に移行する。ステップ１０５において、制御装置４３に設けたスタートスイッチ４５ｅを操作して運転を開始すると、ステップ１０６で制御手段４４によりフタロック４０を閉める。ステップ１０７で給水弁３７を動作して給水し、ステップ１０８では水位検知手段３９により所定の水位まで給水されたか否かを判断する。所定の水位まで給水されたと判定された場合、ステップ１０９にて洗濯行程に移行し、モータ２８を駆動して回転ドラム２４の攪拌回転を開始する。所定の水位まで給水されていない場合はステップ１０７に戻る。洗濯行程では、洗濯物が水分を吸水するため水位が低下するので不足分を補給水しながら、回転ドラム２４はモータ２８によって回転数Ｎで回転駆動され、回転ドラム２４内の洗濯物は突起板２９に持ち上げられて、水面上あるいは他の衣類や回転ドラム２４内底部に落下する。
【００３２】
ステップ１１０では加熱手段の必要な水温を設定したか否かを確認し、加熱手段が必要な水温に設定した場合には、ステップ１１１にて制御装置４３は制御手段４４および負荷
駆動手段４７を介してヒータ４１を制御して、洗濯水を加熱する。ステップ１１０で加熱手段が必要な水温に設定していない場合にはステップ１１４に移行する。ステップ１１２では温度検知装置４２にて、洗濯水の温度Ｔが第１の所定温度Ｔ１（例えば９０℃）以上に加熱しているか否かを判断して、加熱している場合は、ヒータ４１の制御を終了する。
【００３３】
ステップ１１４では所定の洗い時間が経過したか否かを判断し、経過している場合はステップ１１５にて洗濯行程を終了して、制御手段４４でモータ２８の駆動を止めて攪拌ドラム２４の攪拌回転を停止する。
【００３４】
ステップ１１６では、温度検知装置４２にて、洗濯水の温度Ｔが第２の所定温度Ｔ２（例えば５５℃）より高い温度で有るか否かを判断して、Ｔ２より高い温度である場合、ステップ１１７〜１２２の冷却動作に移行する。Ｔ２以下の温度の場合はステップ１２３に移行する。上記冷却動作では、ステップ１１７で給水弁３７を動作して給水を行い、ステップ１１８で給水所要時間Ｓが所定時間Ｓ１（例えば２０分）より短いか否かを判断する。Ｓ１より短い場合はステップ１１９で給水が所定水位に達したか否かを判断し、所定の水位に達したと判定した場合はステップ１２０にて排水弁３６を動作して排水を行う。所定時間Ｓ１以上になった場合は給水に何らかの異常があったと判断されるが、あえて「給水異常」の表示はせずステップ１２３に移行し全ての洗濯水を排水する。
【００３５】
給水異常のない場合ステップ１２１で給水弁３７を動作して給水を行った後、ステップ１２２で洗濯水の温度Ｔが所定温度Ｔ２以下で有るか否かを判断する。Ｔ２以下の場合は冷却は完了したものとしてステップ１２３に移行して、制御手段４４は排水弁３６を動作して水受け槽２６内の洗濯水を全て排水する。洗濯水温度がＴ２より高い場合は、ステップ１２０に戻り、ステップ１２０の排水、ステップ１２１の給水を繰り返す。
【００３６】
ステップ１２３において全ての洗濯水を排水した後は、ステップ１２４にて制御手段４４はフタロック４０を解除して蓋体３０を開けられる状態にすると同時に、フタロック表示部４６ｈに解除表示をする。次いでステップ１２５で次行程に移行する。
【００３７】
また、洗濯工程中に使用者の意図により運転一時停止をして蓋体３０を開ける選択をした場合に、洗濯水が第２の所定温度Ｔ２（例えば５５℃）以上と検知すると、前記冷却動作を行った後、排水を行ってからフタロック４０を解除する。
【００３８】
以上のように、高温洗濯行程終了後の冷却動作にて所定時間給水が行われない場合に、「給水異常」の表示をしないで排水を行うようにしたものであり、高温水が回転ドラム内に溜まった状態を放置しないことで、回転ドラム内の温度も下がりやすくなり、使用者が高温の洗濯水、洗濯物および回転ドラムに接触する機会を減少して、使用者の安全性と利便性を向上することができる。
【００３９】
（実施の形態２）
図５は、本発明の第２の実施の形態のドラム式洗濯機の要部動作フローチャートである。本実施の形態２の縦断面図、ブロック制御回路図、入力設定手段および表示手段は、実施の形態１と同じ、図１、図２および図３を使用して説明する。
【００４０】
制御手段４４は、温度検知手段４２で洗濯水が所定温度Ｔ２に下がるのを検知した後、排水を行うようにしたものである。他の構成は上記実施の形態１と同じである。
【００４１】
上記構成において、図５を参照にして動作を説明する。なお実施の形態１と同じ部分は省略する。
【００４２】
冷却動作中のステップ１１８にて給水所要時間Ｓが所定時間Ｓ１（例えば２０分）より短いか否かを判断して、Ｓ１以上になった場合はステップ１２３に移行して、洗濯水の温度Ｔが第２の所定温度Ｔ２（例えば５５℃）より高い温度で有るか否かを判断して、Ｔ２より高い温度である場合、ステップ１２４にて運転停止を行う。Ｔ２以下の場合はステップ１２６に移行し全排水を行う。前記ステップ１２４の運転停止中にステップ１２５で洗濯水の温度Ｔが第２の所定温度Ｔ２（例えば５５℃）以下の温度で有るか否かを判断し、Ｔ２以下の場合は、ステップ１２６に移行して、制御手段４４は排水弁３６を動作して水受け槽２６内の洗濯水を全て排水する。Ｔ２より高い場合は、ステップ１２４に戻る。
【００４３】
ステップ１２６の全排水以降は、ステップ１２７にて制御手段４４はフタロック４０を解除して蓋体３０を開けられる状態にすると同時に、フタロック表示部４６ｈに解除表示をする。次いでステップ１２８で次行程に移行する。
【００４４】
以上のように、洗濯水が所定温度に下がるのを検知した後、排水を行うようにすることで、排水温度を所定温度まで管理して下げることで排水経路の安全性を向上し、なおかつ排水後の回転ドラム内の洗濯物と回転ドラムの温度を使用者が接触しても安全な温度まで下げることでき、より使用者の安全性を向上することができる。
【００４５】
（実施の形態３）
図６は、本発明の第３の実施の形態のドラム式洗濯機の要部動作フローチャートである。本実施の形態２の縦断面図、ブロック制御回路図、入力設定手段および表示手段は、実施の形態１と同じ、図１、図２および図３を使用して説明する。
【００４６】
図１、図２および図３に示すように、制御手段４４は、冷却動作終了後、次のすすぎ工程に移行した際、給水時に所定時間Ｓ１給水が行われない場合に、数字表示部４６ｇに給水異常表示を出すようにしたものである。他の構成は上記実施の形態１および２と同じである。
【００４７】
上記構成において、図６を参照にして動作を説明する。なお、実施の形態１および２と同じ部分は省略する。
【００４８】
冷却動作終了後、次のすすぎ行程に移行し、ステップ１２５で制御手段４４は給水弁３７を動作して給水する。ステップ１２６で給水所要時間Ｓが所定時間Ｓ１（例えば２０分）より短いか否かを判断する。Ｓ１より短い場合はステップ１２７で給水位が所定水位に達したか否かを判断し、達した場合はステップ１２８にてすすぎ行程における次の動作に移行する。所定水位に達していなかった場合はステップ１２５にもどる。また、ステップ１２６にてＳ１より所定時間が長かった場合は、ステップ１２９に移行して、給水弁３７の動作を停止し、ステップ１３０で数字表示部４６ｇに「給水異常」を表示する。
【００４９】
以上のように、洗濯水を排水後、次のすすぎ工程の給水時に所定時間給水が行われない場合に給水異常の表示を出すようにしたことで、使用者が回転ドラム内の温度が低い状態で給水異常の対応ができるとともに、高温の洗濯水、洗濯物および回転ドラムに接触する機会を減少することができ、さらに使用者の安全性を向上することができる。
【産業上の利用可能性】
【００５０】
以上のように、本発明にかかるドラム式洗濯機は、高温洗濯行程終了後の排水行程における冷却動作にて、所定時間給水が行われない場合には、「給水異常」の表示をせず排水を行うようにしたので、高温水が回転ドラム内に溜まった状態で放置しないことで、回転ドラム内の温度も下がりやすくなり、使用者が高温の洗濯水、洗濯物および回転ドラムに接触する機会を減少して、使用者の安全性と利便性を向上することができるので、乾燥機
能のついたドラム式洗濯機にも利用可能である。
【図面の簡単な説明】
【００５１】
【図１】本発明の実施の形態１におけるドラム式洗濯機の縦断面図
【図２】同ブロック回路図
【図３】同入力設定手段および表示手段の拡大正面図
【図４】同要部動作フローチャート
【図５】本発明の実施の形態２におけるドラム式洗濯機の要部動作フローチャート
【図６】本発明の実施の形態３におけるドラム式洗濯機の要部動作フローチャート
【図７】従来のドラム式洗濯機の縦断面図
【符号の説明】
【００５２】
２４  回転ドラム
２６  水受け槽
２７  回転軸（回転中心軸）
２８  モータ
３０  蓋（扉体）
３２  洗濯機本体
３６  排水弁（排水手段）
３７  給水弁（給水手段）
３９  水位検知手段
４１  ヒータ（加熱手段）
４２  温度検知手段
【図１】
0004591286.tif 000002
【図２】
0004591286.tif 000003
【図３】
0004591286.tif 000004
【図４】
0004591286.tif 000005
【図５】
0004591286.tif 000006
【図６】
0004591286.tif 000007
【図７】
0004591286.tif 000008